(57)【特許請求の範囲】
【請求項１】
光ファイバ心線（12）とその両側に配置された金属製テンションメンバー（14Ａ、14Ｂ）とが外被（16）内に埋め込まれた光ケーブル（10）の長手方向の中間で、前記テンションメンバー（14Ａ、14Ｂ）を接地するのに用いる光ケーブル接地ユニットであって、
接地金具（20）とケーブル保持部材（22）とからなり、
前記接地金具（20）は、光ケーブル（10）の長手方向の中間に露出させた一方のテンションメンバー（14Ａ）と接触する第一のエッジ部（34Ａ）を備えた第一の起立板（26Ａ）と、他方のテンションメンバー（14Ｂ）と接触する第二のエッジ部（34Ｂ）を備えた第二の起立板（26Ｂ）とを有しており、
前記ケーブル保持部材（22）は、前記第一の起立板（26Ａ）の外側で光ケーブル（10）を、前記一方のテンションメンバー（14Ａ）を第一のエッジ部（34Ａ）に押し付ける方向に外力を加えて保持する第一のケーブル保持部（52Ａ）と、前記第二の起立板（26Ｂ）の外側で光ケーブル（10）を、前記他方のテンションメンバー（14Ｂ）を第二のエッジ部（34Ｂ）に押し付ける方向に外力を加えて保持する第二のケーブル保持部（52Ｂ）とを有している、
ことを特徴とする光ケーブル接地ユニット。
【請求項２】
請求項１記載の光ケーブル接地ユニットであって、前記接地金具（20）の第一のエッジ部（34Ａ）は第一の起立板（26）の上端縁で構成され、第二のエッジ部（34Ｂ）は第二の起立板（26Ｂ）の上端側に形成されたフック部（36）の内側で構成されていることを特徴とする光ケーブル接地ユニット。
【請求項３】
請求項１又は２記載の光ケーブル接地ユニットであって、接地金具（20）の第一のエッジ部（34Ａ）と第二のエッジ部（34Ｂ）との距離（Ｐ）が、光ケーブル（10）の２本のテンションメンバー（14Ａ、14Ｂ）の外面間距離（Ｑ）より小さく設定されていることを特徴とする光ケーブル接地ユニット。
【請求項４】
請求項１ないし３のいずれかに記載の光ケーブル接地ユニットであって、前記ケーブル保持部材（22）は、接地金具（20）の第一の起立板（26Ａ）の外側に第一の側壁（46Ａ）を、第二の起立板（26Ｂ）の外側に第二の側壁（46Ｂ）を有しており、
前記第一の側壁（46Ｂ）に、光ケーブル（10）がテンションメンバー（14Ａ、14Ｂ）及び光ファイバ心線（12）の並び面を深さ方向に向けて差し込まれるスロット（48Ａ）と、このスロットに差し込まれた光ケーブル（10）に、前記一方のテンションメンバー（14Ａ）を第一のエッジ部（34Ａ）に押し付ける方向に外力を加える押え片（50）とで構成される第一のケーブル保持部（52Ａ）が形成されており、
前記第二の側壁（46Ｂ）に、光ケーブル（10）がテンションメンバー（14Ａ、14Ｂ）及び光ファイバ心線（12）の並び面を深さ方向に向けて差し込まれるスロット（48Ｂ）と、このスロットに差し込まれた光ケーブル（10）に、前記他方のテンションメンバー（14Ｂ）を第二のエッジ部（34Ｂ）に押し付ける方向に外力を加えるスロット底面（54）とで構成される第二のケーブル保持部（52Ｂ）が形成されている、
ことを特徴とする光ケーブル接地ユニット。
【請求項５】
請求項２ないし４のいずれかに記載の光ケーブル接地ユニットであって、接地金具（20）の第二の起立板（26Ｂ）に形成されたフック部（36と、ケーブル保持部材（22）に形成された第一及び第二のケーブル保持部（52Ａ、52Ｂ）とが、光ケーブル（10）にテンションメンバー（14Ａ、14Ｂ）及び光ファイバ心線（12）の並び面を湾曲させる方向のたわみを与えるように、光ケーブル（10）と交差する方向に位置をずらして形成されていることを特徴とする光ケーブル接地ユニット。
【発明の詳細な説明】
【０００１】
【発明の属する技術分野】
本発明は、光ケーブルの金属製テンションメンバーを、光ケーブルの長手方向の中間で接地するのに用いる光ケーブル接地ユニットに関するものである。
【０００２】
【従来の技術】
光通信網において、加入者宅などに配線される光ファイバ心数の少ない光ケーブルは一般に、光ファイバ心線の両側に鋼線などからなるテンションメンバーを配置し、これらに一括して外被を施した構造となっている。このような金属製のテンションメンバーを有する光ケーブルを配線する場合には、雷や電力線等からの誘導電流を大地に逃がすため、接地をとる必要がある。
【０００３】
従来、光ケーブルのテンションメンバーを接地する場合には、光ケーブルの端部を接続箱などに導入し、外被を剥いでテンションメンバーを露出させ、テンションメンバーを引き留める箇所で接地するのが一般的であった。
【０００４】
【発明が解決しようとする課題】
しかしケーブル接続箱を接地構造にすると、ケーブル接続箱の光ケーブル導入部が複雑化するという問題がある。またケーブル接続箱は接地をとる必要がない場合もあるので、その場合には接地構造は過剰構造になり、コスト高になる。
【０００５】
本発明の目的は、以上のような問題点に鑑み、光ケーブルの端部ではなく長手方向の中間で簡単にテンションメンバーを接地できる光ケーブル接地ユニットを提供することにある。
【０００６】
【課題を解決するための手段】
本発明に係る光ケーブル接地ユニットは、光ファイバ心線とその両側に配置された金属製テンションメンバーとが外被内に埋め込まれた光ケーブルの長手方向の中間で、前記テンションメンバーを接地するのに用いる光ケーブル接地ユニットであって、
接地金具とケーブル保持部材とからなり、
前記接地金具は、光ケーブルの長手方向の中間に露出させた一方のテンションメンバーと接触する第一のエッジ部を備えた第一の起立板と、他方のテンションメンバーと接触する第二のエッジ部を備えた第二の起立板とを有しており、
前記ケーブル保持部材は、前記第一の起立板の外側で光ケーブルを、前記一方のテンションメンバーを第一のエッジ部に押し付ける方向に外力を加えて保持する第一のケーブル保持部と、前記第二の起立板の外側で光ケーブルを、前記他方のテンションメンバーを第二のエッジ部に押し付ける方向に外力を加えて保持する第二のケーブル保持部とを有している、
ことを特徴とするものである。
【０００７】
本発明の光ケーブル接地ユニットにおいて、前記接地金具の第一のエッジ部は第一の起立板の上端縁で構成され、第二のエッジ部は第二の起立板の上端側に形成されたフック部の内側で構成されていることが好ましい。
【０００８】
また本発明の光ケーブル接地ユニットにおいては、接地金具の第一のエッジ部と第二のエッジ部との距離が、光ケーブルの２本のテンションメンバーの外面間距離より小さく設定されていることが好ましい。
【０００９】
また本発明の光ケーブル接地ユニットにおいて、前記ケーブル保持部材は、接地金具の第一の起立板の外側に第一の側壁を、第二の起立板の外側に第二の側壁を有しており、
前記第一の側壁に、光ケーブルがテンションメンバー及び光ファイバ心線の並び面を深さ方向に向けて差し込まれるスロットと、このスロットに差し込まれた光ケーブルに、前記一方のテンションメンバーを第一のエッジ部に押し付ける方向に外力を加える押え片とで構成される第一のケーブル保持部が形成されており、
前記第二の側壁に、光ケーブルがテンションメンバー及び光ファイバ心線の並び面を深さ方向に向けて差し込まれるスロットと、このスロットに差し込まれた光ケーブルに、前記他方のテンションメンバーを第二のエッジ部に押し付ける方向に外力を加えるスロット底面とで構成される第二のケーブル保持部が形成されている、
ことが好ましい。
【００１０】
また本発明の光ケーブル接地ユニットにおいては、接地金具の第二の起立板に形成されたフック部と、ケーブル保持部材に形成された第一及び第二のケーブル保持部とが、光ケーブルにテンションメンバー及び光ファイバ心線の並び面を湾曲させる方向のたわみを与えるように、光ケーブルと交差する方向に位置をずらして形成されていることが好ましい。
【００１１】
【発明の実施の形態】
以下、本発明の実施の形態を、図面を参照して詳細に説明する。図１ないし図６は本発明に係る光ケーブル接地ユニットの一実施形態を示し、図７はこの接地ユニットで接地する光ケーブルの一例を示す。符号10は光ケーブル、18は光ケーブル接地ユニットである。
【００１２】
光ケーブル10は、図７（Ｂ）に示すように、光ファイバ心線12とその両側に配置された２本の金属製テンションメンバー14Ａ、14Ｂとが外被16内に埋め込まれた構造となっている。断面形状は厚さＴより幅Ｗの方が大きい偏平な形である。このような光ケーブル10の長手方向の中間で接地をとるため、図７（Ａ）、（Ｃ）に示すように、外被16のテンションメンバー14Ａ、14Ｂの外側の部分を所要区間除去して、テンションメンバー14Ａ、14Ｂを部分的に露出させる。
【００１３】
光ケーブル接地ユニット18は、図１及び図２に示すように、接地金具20とケーブル保持部材22とから構成されている。接地金具20は金属板のプレス加工品であり、ケーブル保持部材22はプラスチック成形品である。
【００１４】
接地金具20は、図１及び図３に示すように、細長い基底板24の両側に起立板26Ａ、26Ｂを一体に設け、基底板24の一端に端子28を一体に設けたものである。基底板24には、接地金具20をケーブル保持部材22に取り付けるための係止穴30が形成され、端子28には接地線を接続するためのネジ止め穴32が形成されている。第一の起立板26Ａはその上端縁が光ケーブル10の一方のテンションメンバー14Ａに接触する第一のエッジ部34Ａとなっている。第二の起立板26Ｂは第一の起立板26Ａより高さが高く、その上端側には図３（Ｄ）のようにフック部36が所定のピッチで形成されている。フック部36には同図（Ｅ）に示すように、光ケーブル10のテンションメンバー14Ａ、14Ｂを露出させた部分が矢印のように収容される。第二の起立板26Ｂの場合は、フック部36の内側が光ケーブル10の他方のテンションメンバー14Ｂに接触する第二のエッジ部34Ｂとなっている。
【００１５】
第一のエッジ部34Ａと第二のエッジ部34Ｂとの距離Ｐ（図１（Ａ）参照）は、光ケーブル10のテンションメンバー14Ａ、14Ｂの外面間距離Ｑ（図７（Ｃ）参照）よりも小さく設定されている。
【００１６】
ケーブル保持部材22は、図１、図２及び図４に示すように、箱形で、その底板部38には係止突起40が形成されている。この係止突起40を図４（Ｂ）のように接地金具20の係止穴30に押し込むことで、接地金具20がケーブル保持部材22に取り付けられる。また図４（Ａ）に示すように、底板部38の一端側にはナット44が埋め込まれた端子台42が形成されている。接地金具20をケーブル保持部材22に取り付けると、端子28が端子台42に載り、図２に示すようにネジ44で締め付けられるようになる。端子28にはネジ44の締め付けにより接地線（図示せず）が接続される。
【００１７】
ケーブル保持部材22の底板部38の両側には、側壁46Ａ、46Ｂが一体に設けられている。第一の側壁46Ａは、接地金具20の第一の起立板26Ａの外側に平行に位置し、第一の側壁46Ｂは、第二の起立板26Ｂの外側に平行に位置している。第一及び第二の側壁46Ａ、46Ｂにはそれぞれ、上端縁から光ケーブル10が差し込まれるスロット48Ａ、48Ｂが所定のピッチで形成されている。各スロット48Ａ、48Ｂの幅は、光ケーブル10の厚さＴより若干広く、幅Ｗより狭く設定されている。これによりスロット48Ａ、48Ｂには光ケーブル10がテンションメンバー14Ａ、14Ｂ及び光ファイバ心線12の並び面をスロットの深さ方向に向けて差し込まれることになり、光ケーブル10はスロット48Ａ、48Ｂ内で向きを拘束された（回転できない）状態となる。
【００１８】
第一のスロット48Ａの入口には、図１及び図５に示すように、スロット48Ａ内の光ケーブル10を押える押え片50が互い違いに形成されている。この押え片50はスロット48Ａ内の光ケーブル10に矢印Ｄ方向（押し下げる方向）の外力を加えるように形成されている。これにより押え片50は、光ケーブル10の一方のテンションメンバー14Ａを第一のエッジ部34Ａに押し付ける働きをする。つまり第一のスロット48Ａと押え片50は、光ケーブル10を一定の位置に一定の姿勢を保って保持する第一のケーブル保持部52を構成している。
【００１９】
一方、第二のスロット48Ｂは、図１及び図６に示すように、第一のスロット48Ａより浅く形成されており、その底面54は、スロット48Ｂ内の光ケーブル10に矢印Ｕ方向（押し上げる方向）に外力を加える位置に形成されている。これにより第二のスロット48Ｂの底面54は、光ケーブル10の他方のテンションメンバー14Ｂをフック部36の内側すなわち第二のエッジ部34Ｂに押し付ける働きをする。つまり第二のスロット48Ｂとその底面54は、光ケーブル10を一定の位置に一定の姿勢を保って保持する第二のケーブル保持部52Ｂを構成している。なお第二のスロット48Ｂの入口には光ケーブル10の抜け出し防止片56が互い違いに形成されているが、この抜け出し防止片56は光ケーブル10の位置を拘束するものではない。
【００２０】
以上のように構成された光ケーブル接地ユニット18には次のようにして光ケーブル10が組み付けられる。まず光ケーブル10のテンションメンバー露出区間の両側を第一のスロット48Ａ及び第二のスロット48Ｂに差し込むと共に、テンションメンバー露出区間の一部を図３（Ｅ）のようにしてフック部36の内側に入れる。さらに第一のスロット48Ａ側で光ケーブル10を押え片50の下側に入るまで押し込む。すると光ケーブル10は、図１（Ａ）に示すように、押え片50で押し下げられ、第一のエッジ部34Ａで押し上げられ、第二のエッジ部34Ｂで押し下げられ、スロット底面54で押し上げられて、波打つ状態となる。その結果、２本のテンションメンバー14Ａ、14Ｂが、接地金具20の第一及び第二のエッジ部34Ａ、34Ｂに押し付けられることになり、良好な接地状態を得ることができる。
【００２１】
ところで、この光ケーブル接地ユニット18では、同じ光ケーブル10が通過する、接地金具20のフック部36と、ケーブル保持部材22の第一及び第二のスロット48Ａ、48Ｂとが、光ケーブル10と直交する方向（接地金具20の長手方向）に位置をずらして形成されている。このようにすると、接地ユニット18を通過する光ケーブル10に、テンションメンバー14Ａ、14Ｂ及び光ファイバ心線12の並び面を湾曲させる方向のたわみを与えることになるため（図１（Ｂ）参照）、光ケーブル10が接地金具20上で倒れるおそれがなくなり、テンションメンバー14Ａ、14Ｂとエッジ部34Ａ、34Ｂとの接触を良好な状態に保つことができ、接地状態をより安定に保持することができる。
【００２２】
【発明の効果】
以上説明したように本発明の光ケーブル接地ユニットを用いることにより、光ケーブルの長手方向の中間において簡単にテンションメンバーを接地することができる。
【図面の簡単な説明】
【図１】  本発明に係る光ケーブル接地ユニットの一実施形態を示す、（Ａ）は横断面図、（Ｂ）は要部の平面図。
【図２】  図１の接地ユニットの全体構成を示す、（Ａ）は平面図、（Ｂ）は正面図、（Ｃ）は側面図。
【図３】  図２の接地ユニットの接地金具を示す、（Ａ）は平面図、（Ｂ）は正面図、（Ｃ）は一方の側面図、（Ｄ）は他方の側面図、（Ｅ）は（Ｄ）のＥ部の拡大図。
【図４】  図２の接地ユニットのケーブル保持部材を示す、（Ａ）は縦断面図、（Ｂ）は（Ａ）のＢ部の拡大図。
【図５】  図２の接地ユニットの第一のケーブル保持部を示す、（Ａ）は平面図、（Ｂ）は（Ａ）のＢ−Ｂ線断面図、（Ｃ）は外面図、（Ｄ）は内面図。
【図６】  図２の接地ユニットの第二のケーブル保持部を示す、（Ａ）は平面図、（Ｂ）は（Ａ）のＢ−Ｂ線断面図、（Ｃ）は外面図、（Ｄ）は内面図。
【図７】  接地すべき光ケーブルの一例を示す、（Ａ）は正面図、（Ｂ）は（Ａ）のＢ−Ｂ線断面図、（Ｃ）は（Ａ）のＣ−Ｃ線断面図。
【符号の説明】
10：光ケーブル
12：光ファイバ心線
14Ａ、14Ｂ：テンションメンバー
16：外被
18：光ファイバ心線接地ユニット
20：接地金具
22：ケーブル保持部材
26Ａ、26Ｂ：起立板
28：接地端子
34Ａ、34Ｂ：エッジ部
36：フック部
46Ａ、46Ｂ：側壁
48Ａ、48Ｂ：スロット
50：押え片
52Ａ、52Ｂ：ケーブル保持部
54：スロット底面
【図１】
0003844293.tif 000002
【図２】
0003844293.tif 000003
【図３】
0003844293.tif 000004
【図４】
0003844293.tif 000005
【図５】
0003844293.tif 000006
【図６】
0003844293.tif 000007
【図７】
0003844293.tif 000008